(57)【要約】【課題】  ケーシングが縦枠の裏側に固定されている建具枠において、表側と裏側の形状が同様になる技術を提供する。【解決手段】  建具枠の縦枠３２は、表面側壁面の縁部３７を覆う表面側覆部３８と、それからほぼ直角に伸びる厚み部分とによって、断面が略Ｌの字形に形成されている。ケーシング３５は、縦枠３２の厚み部分に固定するための固定部分４５と、固定部分４５から鴨居側に伸びる内側部分と、その内側部分と反対に伸びて裏面側壁面の縁部４７を覆う裏面側覆部を備えている。固定部分４５が縦枠３２に固定されたケーシング３５と縦枠３２を鴨居の小口に固定すると、縦枠３２の厚み部分の建具枠内側面４０とケーシング３５の内側部分の建具枠内側面４８が同一平面に位置決めされる。【選択図】  図２
2006104778.tif 000002
【特許請求の範囲】
【請求項１】
壁の開口部に取り付けられて建具を開閉可能に支持する建具枠であり、
一対の縦枠と、
一対の縦枠の上端部同士を繋ぐ鴨居と、
それぞれの縦枠に沿って固定されるケーシングを備えており、
鴨居は、表面側壁面の縁部を覆う表面側覆部と、裏面側壁面の縁部を覆う裏面側覆部と、両者を接続する厚み部分とによって、断面が略コの字形に形成されており、
それぞれの縦枠は、表面側壁面の縁部を覆う表面側覆部と、それからほぼ直角に伸びる厚み部分とによって、断面が略Ｌの字形に形成されており、
それぞれのケーシングは、それぞれの縦枠の厚み部分に固定するための固定部分と、固定部分から鴨居側に伸びる内側部分と、その内側部分と反対に伸びて裏面側壁面の縁部を覆う裏面側覆部を備えており、
固定部分が縦枠に固定されたケーシングと縦枠を鴨居の小口に固定すると、縦枠の厚み部分の建具枠内側面とケーシングの内側部分の建具枠内側面が同一平面に位置決めされることを特徴とする建具枠。
【請求項２】
縦枠にはケーシングに対向して上下方向に延びる溝が形成されており、
ケーシングにはその溝に挿入するための上下方向に延びる突条が形成されており、
前記溝に前記突条を挿入することによって、ケーシングが縦枠に固定されることを特徴とする請求項１の建具枠。
【請求項３】
前記突条に柔軟な変形部分が設けられており、
その変形部分が変形した状態で、鴨居の小口に、縦枠の厚み部分の建具枠内側面とケーシングの内側部分の建具枠内側面が当接することを特徴とする請求項２に記載の建具枠。
【請求項４】
前記突条に柔軟な変形部分が設けられており、
鴨居の小口に押圧されてその変形部分が変形することによって、ケーシングの裏面側覆部が裏面側壁面に当接することを特徴とする請求項２に記載の建具枠。
【発明の詳細な説明】
【技術分野】
【０００１】
本発明は、建具枠に関するものである。
【背景技術】
【０００２】
壁の開口部に取り付けられるとともに、建具を開閉可能に支持する建具枠が知られている。建具枠は、一対の縦枠と、縦枠と縦枠の上端部同士を結ぶ鴨居を備えている。
特許文献１には、図１４に示すように、縦枠１０１の裏側端部１０２にケーシング１０３を固定する技術が記載されている（図１４は、図１のII−II線断面に相当する）。ケーシング１０３は、縦枠１０１に嵌合している。壁１０４の厚さは、製造上の誤差や、表面に貼られるクロスの厚さが種類によって異なる等の要因によってばらつくのが一般的である。壁１０４の厚さがばらついても、縦枠１０１に対するケーシング１０３の嵌合深さを調整することにより、壁１０４とケーシング１０３との間（Ｘ部）、および壁１０４と縦枠１０１の表側端部１１０との間（Ｙ部）に隙間が生じるのが防止されている。
なお、ここで「裏側」とはケーシングが固定されている側を意味し、「表側」とはケーシングが固定されていない側を意味している。従って、表側／裏側は、壁を隔てた室外／室内と必ずしも対応しない。
【０００３】
【特許文献１】特開２００２−４７２０号公報
【発明の開示】
【発明が解決しようとする課題】
【０００４】
しかしながら、上述したようなケーシング１０３を縦枠１０１に固定すると、図１４のＺ部に段差が発生する。従って、建具枠の表側と裏側の形状が異なってくる。建具枠の表側と裏側の形状が異なると、使用者が違和感を抱いてしまう。
本発明は、その問題を解決するためになされたものであり、ケーシングが縦枠の裏側に固定されている建具枠において、表側と裏側の形状が同様になる技術を提供することを課題とする。
【課題を解決するための手段】
【０００５】
本発明の建具枠は、壁の開口部に取り付けられて建具を開閉可能に支持する。その建具枠は、一対の縦枠と、一対の縦枠の上端部同士を繋ぐ鴨居と、それぞれの縦枠に沿って固定されるケーシングを備えている。鴨居は、表面側壁面の縁部を覆う表面側覆部と、裏面側壁面の縁部を覆う裏面側覆部と、両者を接続する厚み部分とによって、断面が略コの字形に形成されている。それぞれの縦枠は、表面側壁面の縁部を覆う表面側覆部と、それからほぼ直角に伸びる厚み部分とによって、断面が略Ｌの字形に形成されている。それぞれのケーシングは、それぞれの縦枠の厚み部分に固定するための固定部分と、固定部分から鴨居側に伸びる内側部分と、その内側部分と反対に伸びて裏面側壁面の縁部を覆う裏面側覆部を備えている。固定部分が縦枠に固定されたケーシングと縦枠を鴨居の小口に固定すると、縦枠の厚み部分の建具枠内側面とケーシングの内側部分の建具枠内側面が同一平面に位置決めされる。
この建具枠は、縦枠の厚み部分の建具枠内側面とケーシングの内側部分の建具枠内側面が同一平面に位置決めされる。よって、建具枠の表側と裏側の形状が同様になる。
【０００６】
上記の建具枠において、縦枠にはケーシングに対向して上下方向に延びる溝が形成されており、ケーシングにはその溝に挿入するための上下方向に延びる突条が形成されており、前記溝に前記突条を挿入することによって、ケーシングが縦枠に固定されることが好ましい。
この建具枠は、ケーシングの縦枠に対する建具枠前後方向（人が出入りする方向）の固定位置の調整が、溝に突条を挿入することによって行われる。
【０００７】
上記の建具枠において、前記突条に柔軟な変形部分が設けられており、その変形部分が変形した状態で、鴨居の小口に、縦枠の厚み部分の建具枠内側面とケーシングの内側部分の建具枠内側面が当接することが好ましい。
この建具枠は、突条の変形部分が変形した状態で、鴨居の小口に、縦枠の厚み部分の建具枠内側面とケーシングの内側部分の建具枠内側面が当接する。よって、鴨居とケーシングの内側部分との間に隙間が生じるのが防止される。
【０００８】
上記の建具枠において、前記突条に柔軟な変形部分が設けられており、鴨居の小口に押圧されてその変形部分が変形することによって、ケーシングの裏面側覆部が裏面側壁面に当接することが好ましい。
この建具枠は、突条の変形部分が鴨居の小口に押圧されて変形することによって、ケーシングの裏面側覆部が裏面側壁面に当接する。従って、ケーシングの裏面側覆部と裏面側壁面との間に隙間が生じるのが防止される。
【発明を実施するための最良の形態】
【０００９】
後述する実施例の主要な特徴を記載する。
（１）建具枠は、第１縦枠、第２縦枠、鴨居、ケーシングを備えている。建具枠の第１縦枠には、ヒンジを介してドアが開閉可能に装着されている。
（２）縦枠の建具枠前後方向側の一方側端部には、上下方向に延びる嵌合用の溝が形成されている。ケーシングは、本体と、本体とともに上下方向に延びる突条を有している。ケーシングは、縦枠の嵌合用溝に嵌合することによって、縦枠に固定されている。
（３）ケーシングのドア側々面は、縦枠のドア側々面と略面一に配置されるように形成されている。
【実施例】
【００１０】
本発明の建具枠に係る一実施例を、図面を参照しながら説明する。
最初に、建具枠が取り付けられる壁について説明する。図１に示すように、壁１２は、下地枠１３と、一方側（裏側）壁部材１４と、他方側（表側）壁部材１５を備えている。下地枠１３は、第１縦下地枠１６と、第２縦下地枠１８と、横下地枠１７を有している。第１縦下地枠１６と第２縦下地枠１８は、上下方向に延びている。横下地枠１７は、水平方向に延びており、第１縦下地枠１６の上端部と第２縦下地枠１８の上端部との間に配置されている。下地枠１３は、一方側壁部材１４と他方側壁部材１５によって挟み込まれている。第１縦下地枠１６と、第２縦下地枠１８と、横下地枠１７と、床２０が画定した領域の壁部材１４、１５は開放されている。壁部材１４、１５が開放されていることによって、壁１２には、開口部２１が形成されている。
【００１１】
建具枠３０は、第１縦枠３１、第２縦枠３２、鴨居３３、ケーシング３５（図１では、図示省略。図２、図３等に図示）を備えている。縦枠３１、３２、鴨居３３は、例えば、木製とすることができる。縦枠３１、３２は上下方向に延びている。鴨居３３は、水平方向に延びており、第１縦枠３１と第２縦枠３２の上端部間に組み付けられている。第１縦枠３１は、第１縦下地枠１６に固定されている。第２縦枠３２は、第２縦下地枠１８に固定されている。
建具枠３０の第１縦枠３１には、２つのヒンジ３６によって、ドア３４が開閉可能に装着されている。
第１縦枠３１と第２縦枠３２は、同様の形状を有している。従って、以下においては、第１縦枠３１と第２縦枠３２を、第２縦枠３２で代表して説明する。また、第２縦枠３２を、単に「縦枠３２」と記載する。
図２に示すように、縦枠３２の縦枠前後方向（人出入方向）の他方側端部３９には、壁１２側を向くカバー部３８が形成されている。カバー部３８の内面２８は、他方側壁部材１５の壁面縁部３７と当接している。カバー部３８は、縦枠３２の上端から下端まで連続している。
縦枠３２のドア側の角部４９には、面取りが施されている。縦枠３２のドア側々面４０には、上下方向に延びる戸当り４１が嵌合している。縦枠３２の一方側端部４２には、上下方向に延びる溝４３が形成されている。
【００１２】
ケーシング３５は、本体４４と、本体４４から突出した突条４５を有している。突条４５は、本体４４とともに上下方向に延びている。そして、ケーシング３５は、縦枠３２の溝４３に嵌合（挿入）することによって、縦枠３２に固定されている。壁１２の厚さは、壁部材１４、１５や第２縦下地枠１８の寸法誤差、壁部材１４、１５の壁面に貼られるクロスの種類によってばらつくことがある。溝４３にケーシング３５が嵌合すると、壁１２の厚さがばらついても、ケーシング３５の内面４６が一方側壁部材１４の壁面縁部４７と当接する。よって、壁１２の厚さがばらついても、ケーシング３５と壁１２との間に隙間が生じるのを防止することができる。
ケーシング３５のドア側々面４８は、縦枠３２のドア側々面４０と略面一に配置されるように（略同一平面内に配置されるように）形成されている。ケーシング３５のドア側の角部５０には、面取りが施されている。このような形状に縦枠３２とケーシング３５が形成されていると、建具枠３０を人出入方向のどちら側から見ても、同様の形状が認識される。すなわち、建具枠３０を見る方向によって異なる形状が認識され、使用者に違和感を与えてしまうのが防止されている。
【００１３】
図３は、組立前の鴨居３３、縦枠３２、ケーシング３５を示している。縦枠３２の上部には、厚さ方向に貫通する取付孔５７が２つ形成されている。取付孔５７の壁側の開口部には、皿取りが施されている。鴨居３３の人出入り方向の一方側端部５１には、上方を向くとともに水平方向に延びるカバー部５３が形成されている。鴨居３３の他方側端部５２にも、上方を向くとともに水平方向に延びるカバー部５４が形成されている。鴨居３３の下面５５には、鴨居３３の長手方向に沿って延びる戸当り５６が嵌合している。
図４は、組立てられた状態の鴨居３３、縦枠３２、ケーシング３５を示している。鴨居３３と縦枠３２は、縦枠３２の取付孔５７を通過して鴨居３３にねじ込まれた木ねじ５８によって結合されている。
図５に示すように、鴨居３３のカバー部５３とカバー部５４との間の距離は、カバー部５３と一方側壁部材１４、およびカバー部５４と他方側壁部材１５との間に隙間が形成されるように設定されている。カバー部５３とカバー部５４との間の距離がこのように調整されていると、壁１２の厚さがばらついても、壁１２をカバー部５３とカバー部５４との間に確実に受け入れることができる。壁１２と鴨居３３との間に隙間が設けられていても、鴨居３３は人よりも高い位置に配されるので、隙間が視認されることはない。
【００１４】
図６は、図１のVI−VI線断面図である。図７は、図６の「Ｃ」部拡大図である。図７では、ケーシング３５のドア側々面４８と鴨居３３の壁側端面（小口）６０はピッタリと合わさっており、ケーシング３５と鴨居３３との間に隙間は存在しない。しかしながら、図８に示す縦枠３２の「Ｄ」寸法と、図９に示すケーシング３５の「Ｅ」寸法は、製造誤差等の要因でばらつくことがある。縦枠３２の「Ｄ」寸法よりもケーシング３５の「Ｅ」寸法が小さいと、ケーシング３５のドア側々面４８と鴨居３３の壁側端面６０との間に隙間が生じる。隙間が生じると、外観上の品質が悪化してしまう。また、縦枠３２の「Ｄ」寸法よりもケーシング３５の「Ｅ」寸法が大きいと、ケーシング３５を縦枠３２に固定することができない。
ケーシング３５のドア側々面４８と鴨居３３の壁側端面６０との間の隙間が生じたり、ケーシング３５を縦枠３２に固定できないという不具合を防止するために、図１０に示すように、ケーシング３５の突条４５の本体４４側部分に変形部６１を設けても良い。変形部６１は、弾性材（例えば、ＡＢＳ樹脂や、ＰＰ樹脂）から成形されている。この場合、ケーシング３５の「Ｆ」寸法は、ケーシング３５や縦枠３２の製造誤差を考慮しても、縦枠３２の「Ｄ」寸法（図８参照）よりも大きくなるように設定しておく。このようなケーシング３５を縦枠３２に固定すると、図１１に示すように、ケーシング３５の突条４５が変形した状態で、ケーシング３５のドア側々面４８と鴨居３３の壁側端面６０が当接する。よって、ドア側々面４８と壁側端面６０との間に隙間が生じるのが防止される。
【００１５】
図１２に示すように、ケーシング３５の突条４５を壁１２側に傾けても良い。突条４５を壁１２側に傾けると、ケーシング３５を縦枠３２に固定したときに変形部６１が変形し、ケーシング３５の本体４４の内面４６が一方側壁部材１４の壁面縁部４７（図１１参照）に押し付けられる。内面４６が壁面縁部４７に押し付けられると、それらの間に隙間が生じるのが確実に防止される。
図１３に示すように、ケーシング３５の突条４５の側面に、上下方向に延びる畝状部６３を形成してもよい。畝状部６３は、ケーシング３５の突条４５が縦枠３２の溝４３に勘合したときに、溝４３に食い込む。このため、ケーシング３５を縦枠３２により確実に固定することができる。
【００１６】
ケーシング３５に溝を設け、縦枠３２にケーシング３５の溝に嵌合する突条を設けることもできる
ケーシング３５は、嵌合を用いないで縦枠３２に固定してもよい。例えば、縦枠３２とケーシング３５との間にスペーサを介装した状態で、縦枠３２とケーシング３５をスクリュウ結合する。スペーサの厚さを調整すれば、ケーシング３５と壁１２との間に隙間が生じるのを防止できる。
ケーシング３５を樹脂製（例えば、押し出し成形品）とすることもできる。ケーシング３５を樹脂製にすると、突条４５が弾性変形可能になる。
【００１７】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組合せによって技術的有用性を発揮するものであり、出願時の請求項記載の組合せに限定されるものではない。また、本明細書または図面に例示した技術は複数目的を同時に達成するものであり、そのうちの一つの目的を達成すること自体で技術的有用性を持つものである。
【図面の簡単な説明】
【００１８】
【図１】壁に取り付けられた建具の正面図。
【図２】図１のII−II線断面図。
【図３】建具枠の上端部の斜視図（組立前）。
【図４】建具枠の上端部の斜視図（組立後）。
【図５】図１のV−V線断面図。
【図６】図１のVI−VI線断面図。
【図７】図６のＣ部拡大図。
【図８】縦枠の端部断面図。
【図９】ケーシングの断面図。
【図１０】同上。
【図１１】図６のＣ部拡大図（ケーシングの突条に変形部が設けられた場合）。
【図１２】ケーシングの断面図（ケーシングの突条に変形部が設けられ、かつ突条が傾斜した場合）。
【図１３】ケーシングの断面図（突条に畝状部を形成した場合）。
【図１４】縦枠と壁の断面図（従来技術）。
【符号の説明】
【００１９】
１２：壁
１３：下地枠
１４：一方側壁部材
１５：他方側壁部材
１６：第１縦下地枠
１７：横下地枠
１８：第２縦下地枠
２０：床
２１：開口部
２８：内面
３０：建具枠
３１：第１縦枠
３２：第２縦枠
３３：鴨居
３４：ドア
３５：ケーシング
３６：ヒンジ
３７：壁面縁部
３８：カバー部
３９：他方側端部
４０：ドア側々面
４１：戸当り
４２：一方側端部
４３：溝
４４：本体
４５：突条
４６：内面
４７：壁面縁部
４８：ドア側々面
４９、５０：角部
５１：一方側端部
５２：他方側端部
５３、５４：カバー部
５５：下面
５６：戸当り
５７：取付孔
５８：木ねじ
６０：壁側端面
６１：変形部
６３：畝状部
【図１】
2006104778.tif 000003
【図２】
2006104778.tif 000004
【図３】
2006104778.tif 000005
【図４】
2006104778.tif 000006
【図５】
2006104778.tif 000007
【図６】
2006104778.tif 000008
【図７】
2006104778.tif 000009
【図８】
2006104778.tif 000010
【図９】
2006104778.tif 000011
【図１０】
2006104778.tif 000012
【図１１】
2006104778.tif 000013
【図１２】
2006104778.tif 000014
【図１３】
2006104778.tif 000015
【図１４】
2006104778.tif 000016